(57)【要約】【課題】手動で排水口を開閉したり、手を伸して排水口開閉センサに手を翳したりすることなく排水口を閉じて鉢に水を溜めることができると共に超音波などの洗浄補助手段を自動的に作動させることができる手洗装置を提供する。【解決手段】便器洗浄すべくフラッシュ操作すると、ボールタップの開弁に伴って給水チューブ１３を介して吐水口１２へ給水され、吐水口１２から鉢１０内に吐水が行われる。鉢１０内においてオーバーフロー口２０よりも上位に手が差し出されたときには、排水栓１６は押し上げられた開状態のままとされ、吐水された水は排水口１５から直ちにロータンク７へ流出する。オーバーフロー口２０よりも下位に手が差し出されたときには、センサ１４からの信号によりソレノイド１７がロッド後退動作し、排水栓１６が引き下げられて閉状態とされる。また、エアポンプ２４が作動し、空気が散気板２２から気泡となって噴出する。【選択図】図１
2005299147.tif 000002
【特許請求の範囲】
【請求項１】
排水口を有する鉢と、該鉢内に吐水する吐水口と、該排水口を開閉する排水口開閉装置とを有する手洗装置において、該吐水口からの吐水領域に差し出された手を検知する手検知手段と、該手検知手段が手を検知すると前記開閉装置を閉動作させる制御手段とを備えたことを特徴とする手洗装置。
【請求項２】
請求項１において、該鉢にオーバーフロー口が設けられており、前記手検知手段は該オーバーフロー口よりも下位に差し出された手を検知するものであることを特徴とする手洗装置。
【請求項３】
請求項１又は２において、該手検知手段が手を検知すると作動する手洗浄補助手段を備えたことを特徴とする手洗装置。
【請求項４】
請求項３において、該手洗浄補助手段は、鉢内に気泡を噴出する気泡噴出手段、該鉢内に溜った水を旋回させる旋回手段、又は、該鉢内に溜った水を振動させる振動手段であることを特徴とする手洗装置。
【請求項５】
請求項１ないし４のいずれか１項において、該鉢は便器用ロータンク又はロータンクカバーに設けられるものであり、前記排水口からの排水及び該鉢からのオーバーフロー水がロータンク内に流入するように構成されていることを特徴とする手洗装置。
【発明の詳細な説明】
【技術分野】
【０００１】
本発明は吐水口からの吐水によって手を洗うよう構成された手洗装置に関するものであり、特に、鉢に水を溜めて手を洗うことが可能であるように構成された手洗装置に関する。
【背景技術】
【０００２】
鉢に水を溜めて手を洗うことができるようにした手洗装置として、特開平５−１４８８７５号公報の図２には、洗面ボールの右奥上面に鉢開閉センサを設けると共に排水口に油圧シリンダ駆動方式の排水栓を設けておき、この鉢開閉センサに手を翳すと該油圧シリンダが動作して排水栓が閉となり、洗面ボールに水が溜るよう構成されたものが記載されている。この洗面ボールにあっては、吐水用カランに人体検知センサが設けられており、前記鉢開閉センサに手を翳すと併せて人体検知センサがこの手を検知し、カランから吐水が行われる。
【０００３】
特開平５−１７１６６７号公報には、流し台や洗面台、洗面化粧台の流し槽に水を溜め、この水に超音波を照射することが記載されている。
【特許文献１】特開平５−１４８８７５号公報
【特許文献２】特開平５−１７１６６７号公報
【発明の開示】
【発明が解決しようとする課題】
【０００４】
上記特開平５−１４８８７５号公報の図２の洗面ボールにあっては、排水口開閉センサは洗面ボールの右奥上面に設けられており、排水口を閉とするためには手を洗面ボール右奥上面にまで伸して差し出す必要がある。このため、使用方法が分らない人は、洗面ボールに水を溜めて使用することができない。
【０００５】
上記特開平５−１７１６６７号公報には、槽の排出口を閉める機構についての具体的な記述はなく、単に排出口を閉じると記載されているのみである。また、この特開平５−１７１６６７号公報では、超音波発振機操作用スイッチを手でＯＮにして超音波発振機を作動させるようにしており、このスイッチ操作方法が不知である使用者は超音波発振機を利用できない。
【０００６】
本発明は、手動で排水口を開閉したり、手を伸して排水口開閉センサに手を翳したりすることなく排水口を閉じて鉢に水を溜めることができる手洗装置を提供することを目的とする。
【０００７】
また、本発明は、その一態様において、超音波などの洗浄補助手段を自動的に作動させることができる手洗装置を提供することを目的とする。
【課題を解決するための手段】
【０００８】
本発明（請求項１）の手洗装置は、排水口を有する鉢と、該鉢内に吐水する吐水口と、該排水口を開閉する排水口開閉装置とを有する手洗装置において、該吐水口からの吐水領域に差し出された手を検知する手検知手段と、該手検知手段が手を検知すると前記開閉装置を閉動作させる制御手段とを備えたことを特徴とするものである。
【０００９】
請求項２の手洗装置は、請求項１において、該鉢にオーバーフロー口が設けられており、前記手検知手段は該オーバーフロー口よりも下位に差し出された手を検知するものであることを特徴とするものである。
【００１０】
請求項３の手洗装置は、請求項１又は２において、該手検知手段が手を検知すると作動する手洗浄補助手段を備えたことを特徴とするものである。
【００１１】
請求項４の手洗装置は、請求項３において、該手洗浄補助手段は、鉢内に気泡を噴出する気泡噴出手段、該鉢内に溜った水を旋回させる旋回手段、又は、該鉢内に溜った水を振動させる振動手段であることを特徴とするものである。
【００１２】
請求項５の手洗装置は、請求項１ないし４のいずれか１項において、該鉢は便器用ロータンク又はロータンクカバーに設けられるものであり、前記排水口からの排水及び該鉢からのオーバーフロー水がロータンク内に流入するように構成されていることを特徴とするものである。
【発明の効果】
【００１３】
本発明の手洗装置にあっては、吐水口からの吐水領域に手を差し出すと、手が手検知手段によって検知され、排水口開閉装置が閉動作する。従って、排水口を閉めるという特定の意思に基づく行為を行うことなく、鉢に水を溜めることができる。吐水口が自動水栓である場合には、手を吐水口下方に差し出すだけで吐水開始と排水口閉動作とを併せて行うことができる。なお、鉢がロータンク又はロータンクカバー上に設置される便器用手洗鉢である場合には、便器のフラッシュ動作に伴って吐水口から吐水が行われるので、この吐水している吐水口の下方に手を差し出すと、自動的に排水口が閉となる。
【００１４】
本発明では、オーバーフロー口よりも下位に手が差し出されたときだけ排水口を閉とするよう構成してもよい（請求項２）。このように構成した場合には、オーバーフロー口よりも上方に手を差し出したときには排水口は開のままであり、鉢に水は溜まらない。従って、鉢に水を溜めて手を漬け洗いする使用方法と、水を溜めずに吐出水で手の汚れを洗い流す使用方法とを使い分けることができる。
【００１５】
本発明では、手検知手段が手を検知したときに、気泡噴出手段、水の旋回手段、水を振動させる手段等の手洗浄補助手段を作動させてもよい（請求項３，４）。このようにすれば、石鹸などを用いるまでもなく手軽に十分に手を洗うことができる。また、手を片方だけ水に漬けて十分に洗うこともできる。
【００１６】
本発明では、鉢は便器用ロータンク又はロータンクカバーに設けられるものであり、前記排水口からの排水及び該鉢からのオーバーフロー水がロータンク内に流入するように構成されてもよい（請求項５）。このように構成すれば、オーバーフロー水もロータンクに回収され、便器洗浄に利用することができる。
【発明を実施するための最良の形態】
【００１７】
以下、図面を参照して本発明についてさらに詳細に説明する。図１（ａ）は実施の形態に係る手洗装置を備えた洋風便器設備の斜視図、図１（ｂ）はタンクカバー上部の縦断面図である。
【００１８】
陶器製の洋風便器１の後部上面にタンクカバー２が設置され、このタンクカバー２の上部に鉢１０を有したトップカバー３が設置されている。タンクカバー２の前部に便座４及び便蓋５が上下方向回動可能に取り付けられている。
【００１９】
タンクカバー２内には、洋風便器１の便鉢へ水を供給するためのロータンク７のほか、便座４に座っている人の臀部を温水で洗浄するための温水洗浄ノズル８、その他各種の機器が設置されている。このロータンク７にボールタップ（図示略）が設けられており、水道水が該ボールタップを介してロータンク７内に供給可能とされている。
【００２０】
トップカバー３の鉢１０上にせり出すようにしてカラン部１１がトップカバー３の後縁上部から立設されており、このカラン部１１の先端側の下面に吐水口１２が設けられている。この吐水口１２は給水チューブ１３を介してロータンク７のボールタップ（図示略）に接続されている。カラン部１１の下面には、鉢１０内に差し出された手を検知するセンサ１４が設けられている。このセンサ１４は、手までの距離を検知する測距式赤外線センサよりなり、手がオーバーフロー口２０よりも上側領域に差し出されたか下側領域に差し出されたかを判別可能である。
【００２１】
鉢１０の底部には排水口１５が設けられており、ポップアップ式の排水栓１６が設けられている。この排水栓１６は、ソレノイド１７の作動ロッドに対しリンク１８を介して連結されており、該ソレノイド１７の作動ロッドのストロークにより上下動して排水口１５を開閉する。この排水口１５の下方は筒状に下方に延在した排水筒１９となっており、この排水筒１９はロータンク７へ水を落下させるように配置されている。
【００２２】
鉢１０の側面にはオーバーフロー口２０が設けられており、排水路２１を介して排水筒１９へオーバーフロー水を導くよう構成されている。
【００２３】
鉢１０の底面には散気板２２が設けられている。この散気板２２へはエアポンプ２４からホース２３を介して空気が供給される。エアポンプ２４はオーバーフロー口２０よりも上位に配置されている。
【００２４】
このように構成された手洗装置を有する洋風便器設備においては、リモコン操作あるいはフラッシュレバー操作を行うことによりロータンク７内の水が洋風便器の便鉢へ流出する。ロータンク７内の水位低下に伴ってロータンク７に設けられたボールタップ（図示略）が開弁し、ロータンク７内へ注水が行われる。また、ボールタップの開弁に伴って給水チューブ１３を介して吐水口１２へ給水され、吐水口１２から鉢１０内に吐水が行われる。便器使用者は鉢１０に手を差し出して手を洗うことができる。ロータンク７内の水位が規定水位に達すると、ボールタップが閉弁し、吐水口１２からの吐水も停止する。
【００２５】
この実施の形態では、鉢１０内においてオーバーフロー口２０よりも上位に手が差し出されたときには、排水栓１６は押し上げられた開状態のままとされ、吐水された水は排水口１５から排水筒１９を介して直ちにロータンク７へ流出する。オーバーフロー口２０よりも下位に手が差し出されたときには、センサ１４からの信号によりソレノイド１７がロッド後退動作し、排水栓１６が引き下げられて閉状態とされる。そのため、吐水口１２からの吐水は鉢１０内に貯溜される。また、この排水栓１６が閉状態になった後、好ましくはある程度鉢１０内に水が溜まる時間が経過した後、エアポンプ２４が作動し、空気が散気板２２から気泡となって噴出する。このため、鉢１０内の貯溜水に手を浸して気泡で十分に手洗いすることができる。この場合両手を擦り合わせるようにしなくても、例えば片手を水に浸す場合でも、十分に手を洗うことができる。
【００２６】
鉢１０内の水位がオーバーフロー口２０に達してもなお吐水口１２からの吐水が行われる場合には、オーバーフロー水がオーバーフロー口２０、排水路２１、排水筒１９を介してロータンク７へ流出する。
【００２７】
なお、鉢１０から手が離脱したことがセンサ１４によって検知されると、ソレノイド１７がロッド突出動作して排水栓１６が開状態とされ、鉢１０内の貯留水がロータンク７へ流出する。
【００２８】
このように、この実施の形態によると、鉢１０に水を溜めて手を十分に洗うことができる。また、鉢１０内の水位がオーバーフロー口２０以下とされるので、鉢１０の上縁から溢れ出ることもない。この鉢１０からの排水及びオーバーフロー水は、いずれもロータンク７に回収され、便器洗浄に利用される。
【００２９】
この実施の形態では散気板２２から散気して手洗いを補助しているが、回転部材や水噴出部材を用いて貯留水を旋回させてもよい。また、超音波発振器により水を振動させてもよい。
【００３０】
上記実施の形態では、オーバーフロー口２０よりも下側に手を差し出すと排水栓１６が閉まるよう構成されているが、吐水口１２の下方に手を差し出すと、オーバーフロー口２０よりも上側であるか下側であるかに拘わらず排水栓１６を閉めるよう構成してもよい。この場合も、排水栓１６が閉まると手洗浄補助手段が作動するよう構成してもよい。
【図面の簡単な説明】
【００３１】
【図１】図１（ａ）は実施の形態に係る手洗装置を備えた洋風便器設備の斜視図、図１（ｂ）はタンクカバー上部の縦断面図である。
【符号の説明】
【００３２】
１  洋風便器
２  タンクカバー
１０  鉢
１１  カラン部
１２  吐水口
１４  センサ
１５  排水口
１６  排水栓
１９  排水筒
２０  オーバーフロー口
２１  排水路
２２  散気板
２４  エアポンプ
【図１】
2005299147.tif 000003